(57)【要約】【課題】浴室内の乾燥の進み具合に応じた乾燥運転の適切な残時間の表示を行うとともに、上記残時間に亘り乾燥運転を実行することが可能で、しかも、排気ダクトにおける結露を防止することが可能な浴室乾燥機を提供する。【解決手段】加熱乾燥運転の実行中に、湿度検出用循環加熱運転を実行し、湿度検出用循環加熱運転の実行中における湿度の上昇速度が所定の上昇速度以下であると判定したときに、時間表示部への、加熱乾燥運転の残時間の表示を開始し、その後、残時間に亘り加熱乾燥運転を実行する浴室乾燥機において、加熱乾燥運転の実行前の浴室内の温度が所定温度以上であるときには、加熱乾燥運転の実行前に、循環ファン１４ａによって機器本体９内に取り込まれた空気を加熱部１３により加熱せず浴室に戻す涼風運転を実行し、涼風運転を実行した後において、加熱乾燥運転の実行時間を連続して所定時間以上継続させた後、湿度検出用循環加熱運転を実行する。【選択図】図１
2018112333.tif 000002
【特許請求の範囲】
【請求項１】
浴室に設置された機器本体内に空気を流入させ、機器本体内に流入した空気を屋外に排出させる換気ファンと、
前記機器本体内に空気を流入させ、機器本体内に流入した空気を、吹き出し口を通して吹き出させる循環ファンと、
前記機器本体内に設けられ、前記循環ファンによって前記機器本体内に取り込まれた空気を加熱する加熱部と、
前記機器本体内に流入した空気の湿度を検出する湿度検出手段と、
時間表示部と、を備え、
前記換気ファンを作動させるとともに、前記循環ファンを作動させて前記循環ファンによって前記機器本体内に取り込まれた空気を前記加熱部により加熱する加熱乾燥運転の実行中に、
前記換気ファンを停止するとともに、前記循環ファンの作動および前記加熱部による加熱を継続する、湿度検出用循環加熱運転を実行し、
前記湿度検出用循環加熱運転の実行中における、前記湿度検出手段によって検出された湿度の上昇速度が所定の上昇速度以下であると判定したときに、前記時間表示部への、前記加熱乾燥運転の残時間の表示を開始し、その後、前記残時間に亘り前記加熱乾燥運転を実行する浴室乾燥機であって、
前記加熱乾燥運転の実行前の前記浴室内の温度が所定温度以上であるときには、前記加熱乾燥運転の実行前に、前記換気ファンを作動させるとともに、前記循環ファンを作動させて前記循環ファンによって前記機器本体内に取り込まれた空気を前記加熱部により加熱せず前記浴室に戻す涼風運転を実行するように構成し、
前記涼風運転を実行した後において、前記加熱乾燥運転の実行時間を連続して所定時間以上継続させた後、前記湿度検出用循環加熱運転を実行すること
を特徴とする浴室乾燥機。
【請求項２】
前記加熱乾燥運転の実行前の前記浴室内の温度が前記所定温度以上であるときには、
（ａ）第１の所定時間に亘って前記涼風運転を行った後、
（ｂ）第２の所定時間に亘って前記加熱乾燥運転を行い、その後、
（ｃ）第３の所定時間に亘って前記涼風運転を行った後、
（ｄ）前記加熱乾燥運転の実行時間を連続して前記所定時間以上継続させた後、前記湿度検出用循環加熱運転を実行すること
を特徴とする請求項１記載の浴室乾燥機。
【請求項３】
前記加熱乾燥運転の実行前の前記浴室内の温度が前記所定温度より低いときには、前記涼風運転を実行することなく、前記加熱乾燥運転の実行時間を連続して前記所定時間以上継続させた後、前記湿度検出用循環加熱運転を実行することを特徴とする請求項１記載の浴室乾燥機。
【請求項４】
前記湿度検出用循環加熱運転の実行中における、所定期間の開始時の前記湿度検出手段による検出湿度と、前記所定期間の終了時の前記湿度検出手段による検出湿度との差から、前記湿度の上昇速度を求めるように構成されていることを特徴とする請求項１〜３のいずれかに記載の浴室乾燥機。
【発明の詳細な説明】
【技術分野】
【０００１】
本発明は、浴室を乾燥させるために用いられる機器である浴室乾燥機に関する。
【背景技術】
【０００２】
浴室を乾燥させるために用いられる浴室乾燥機には、例えば、特許文献１に開示されているような浴室乾燥機がある。
【０００３】
この特許文献１に開示されている浴室乾燥機においては、換気ファンを作動させて浴室内の空気を排出するとともに、通常は浴室のドアなどに設けられる外気流入用ギャラリーから浴室内に外気を供給し、併せて、循環ファンを作動させて浴室内から機器（浴室乾燥機）本体内に取り込まれた空気を加熱部により加熱して浴室に戻す乾燥運転（加熱乾燥運転）を実行する。
【０００４】
そして、加熱乾燥運転の実行中に換気ファンを停止するとともに、循環ファンの作動および加熱部による加熱を継続する、湿度検出用循環加熱運転を実行し、湿度検出用循環加熱運転中における、湿度の上昇速度を湿度検出手段によって検出する。
【０００５】
検出された湿度の上昇速度が所定の上昇速度以下であると判定したとき、時間表示部への、加熱乾燥運転の残時間の表示を開始し、その後、残時間に亘り、加熱乾燥運転を実行する。
【０００６】
なお、この特許文献１に開示されている浴室乾燥機では、換気ファンの停止中の、浴室内への外気の流入が行われない状態での浴室内の湿度の上昇速度（変化率）に基づいて、加熱乾燥運転の残時間の表示を行い、その後、残時間に亘り加熱乾燥運転を実行するようにしているので、精度よく残時間を求め、効率のよい浴槽の乾燥を行うことができる。
【０００７】
また、特許文献２に示されている浴室暖房乾燥装置は、浴室の乾燥を行うにあたって、排気ダクトで結露することを防止するために、先に吸い込み口から浴室内の空気を吸い込んで一部の空気を屋外に排気するとともに、残りの空気を吹き出し口から浴室内に吹き出す涼風運転を所定時間行ってから、換気と、加熱部により加熱された温風の送風とを行う加熱乾燥運転を実行するように構成されている。
具体的には、特許文献２の段落００２６に、まず、例えば１０分間の涼風運転を行った後、例えば５分間加熱乾燥運転を行い、次いで例えば５分間涼風運転を行った後、加熱乾燥運転を行うことが記載されている。
【先行技術文献】
【特許文献】
【０００８】
【特許文献１】特開２０１５−１８８４５８号公報
【特許文献２】特開２００９−２５７７６１号公報
【発明の概要】
【発明が解決しようとする課題】
【０００９】
ところで、上述の特許文献１に記載の浴室乾燥機においては、暖かく、湿度の高い浴室内の空気を排気ダクトから外部に排出する際に、温度の低い排気ダクトで結露が生じるおそれがある。
【００１０】
そこで、排気ダクトで結露が生じることを防止するため、特許文献１の浴室乾燥機に、特許文献２の技術を適用することが考えられる。その場合、浴室の乾燥を行うにあたって、先に吸い込み口から浴室内の空気を吸い込んで一部の空気を屋外に排気するとともに、残りの空気を吹き出し口から浴室内に吹き出す涼風運転を所定時間行ってから、換気と、加熱部により加熱された温風の送風とを行う加熱乾燥運転を実行するように構成されることになる。
【００１１】
しかしながら、上述の構成とした場合、涼風運転が所定時間行われることにより浴室の温度が低下し、浴室内の温度低下に伴う浴室壁面における結露などに起因して、浴室内の絶対湿度が低下することが想定される。
【００１２】
そして、上述の浴室壁面での結露などに起因して浴室内の絶対湿度が低下した状態で、特許文献１に記載される湿度検出用循環加熱運転を実行した場合、湿度検出用循環加熱運転の実行時に検出される湿度の値が小さくなるため、浴室壁面などが結露により濡れているような場合にも、浴室内の乾燥が進んでいるものと誤って検出されてしまうおそれがある。
【００１３】
つまり、換気ファンを作動させるとともに循環ファンを作動させて、循環ファンによって機器本体内に取り込まれた空気を加熱部により加熱する加熱乾燥運転による浴室内の乾燥状態が十分反映されない状態で、湿度検出用循環加熱運転が実行されてしまうことで、湿度検出用循環加熱運転において検出される湿度の値が小さい値となり、湿度の検出値自体に誤差はなくても、浴室内の乾燥の度合いに関し、浴室内の乾燥が進んでいるものと判断してしまうという意味での誤検出を引き起こすことになる。
【００１４】
本発明は、上記の課題を解決するものであり、浴室内の乾燥の進み具合に応じて加熱乾燥運転の適切な残時間の表示を行い、その後、浴室の乾燥の進み具合に応じて残時間に亘り加熱乾燥運転を行うことにより、効率のよい乾燥を行うことが可能で、しかも、排気ダクトにおける結露を防止することが可能な浴室乾燥機を提供することを目的とする。
【課題を解決するための手段】
【００１５】
上記の目的を達成するために、本発明の浴室乾燥機は、
浴室に設置された機器本体内に空気を流入させ、機器本体内に流入した空気を屋外に排出させる換気ファンと、
前記機器本体内に空気を流入させ、機器本体内に流入した空気を、吹き出し口を通して吹き出させる循環ファンと、
前記機器本体内に設けられ、前記循環ファンによって前記機器本体内に取り込まれた空気を加熱する加熱部と、
前記機器本体内に流入した空気の湿度を検出する湿度検出手段と、
時間表示部と、を備え、
前記換気ファンを作動させるとともに、前記循環ファンを作動させて前記循環ファンによって前記機器本体内に取り込まれた空気を前記加熱部により加熱する加熱乾燥運転の実行中に、
前記換気ファンを停止するとともに、前記循環ファンの作動および前記加熱部による加熱を継続する、湿度検出用循環加熱運転を実行し、
前記湿度検出用循環加熱運転の実行中における、前記湿度検出手段によって検出された湿度の上昇速度が所定の上昇速度以下であると判定したときに、前記時間表示部への、前記加熱乾燥運転の残時間の表示を開始し、その後、前記残時間に亘り前記加熱乾燥運転を実行する浴室乾燥機であって、
前記加熱乾燥運転の実行前の前記浴室内の温度が所定温度以上であるときには、前記加熱乾燥運転の実行前に、前記換気ファンを作動させるとともに、前記循環ファンを作動させて前記循環ファンによって前記機器本体内に取り込まれた空気を前記加熱部により加熱せず前記浴室に戻す涼風運転を実行するように構成し、
前記涼風運転を実行した後において、前記加熱乾燥運転の実行時間を連続して所定時間以上継続させた後、前記湿度検出用循環加熱運転を実行すること
を特徴としている。
【００１６】
前記加熱乾燥運転の実行前の前記浴室内の温度が前記所定温度以上であるときには、
（ａ）第１の所定時間に亘って前記涼風運転を行った後、
（ｂ）第２の所定時間に亘って前記加熱乾燥運転を行い、その後、
（ｃ）第３の所定時間に亘って前記涼風運転を行った後、
（ｄ）前記加熱乾燥運転の実行時間を連続して前記所定時間以上継続させた後、前記湿度検出用循環加熱運転を実行するように構成されていることが好ましい。
【００１７】
また、前記加熱乾燥運転の実行前の前記浴室内の温度が前記所定温度より低いときには、前記涼風運転を実行することなく、前記加熱乾燥運転の実行時間を連続して前記所定時間以上継続させた後、前記湿度検出用循環加熱運転を実行するように構成されていることが好ましい。
【００１８】
前記湿度検出用循環加熱運転の実行中における、所定期間の開始時の前記湿度検出手段による検出湿度と、前記所定期間の終了時の前記湿度検出手段による検出湿度との差から、前記湿度の上昇速度を求めるように構成されていることが好ましい。
【発明の効果】
【００１９】
本発明の浴室乾燥機は、上述のよう構成されており、加熱乾燥運転の実行前の浴室内の温度が所定温度以上であるときには、加熱乾燥運転の実行前に換気ファンを作動させるとともに、循環ファンを作動させて、循環ファンによって機器本体内に取り込まれた空気を加熱部により加熱せず浴室に戻す涼風運転を実行するように構成し、涼風運転を実行した後において、加熱乾燥運転の実行時間を連続して所定時間以上継続させた後、湿度検出用循環加熱運転を実行するようにしているので、浴室内の乾燥の進み具合に応じた乾燥運転の適切な残時間を時間表示部に表示し、その後、浴室の乾燥の進み具合に応じた適切な残時間に亘り乾燥運転を実行することが可能で、しかも、排気ダクトにおける結露を防止することが可能な浴室乾燥機を提供することができる。
【００２０】
加熱乾燥運転の実行前の浴室内の温度が所定温度以上であるときに、
（ａ）第１の所定時間に亘って前記涼風運転を行った後、
（ｂ）第２の所定時間に亘って前記加熱乾燥運転を行い、その後、
（ｃ）第３の所定時間に亘って前記涼風運転を行った後、
（ｄ）前記加熱乾燥運転の実行時間を連続して前記所定時間以上継続させた後、前記湿度検出用循環加熱運転を実行するように構成されている場合、前記（ａ），（ｂ），（ｃ）の工程を順次実行して、段階的に排気ダクトの温度を上昇させた後、（ｄ）の工程が実施されることから、排気ダクトにおける結露をより確実に防止することが可能になり、本発明をより実効あらしめることができる。
【００２１】
加熱乾燥運転の実行前の浴室内の温度が所定温度より低いときに、涼風運転を実行することなく、前記加熱乾燥運転の実行時間を連続して所定時間以上継続させた後、湿度検出用循環加熱運転を実行するように構成した場合、特に涼風運転を経ることなく、直ちに加熱乾燥運転が実行されることになるので、全体としての乾燥時間の短縮を図ることができる。
【００２２】
また、湿度検出用循環加熱運転の実行中における、所定期間の開始時の湿度検出手段による検出湿度と、所定期間の終了時の湿度検出手段による検出湿度との差から、湿度の上昇速度を求めるようにした場合、簡単に湿度の上昇速度を求めることが可能になり、本発明をより実効あらしめることができる。
【図面の簡単な説明】
【００２３】
【図１】本発明の一実施形態にかかる浴室乾燥機の構成を示す縦断面図である。
【図２】本発明の一実施形態にかかる浴室乾燥機の内部の配管を説明する管路図である。
【図３】本発明の一実施形態にかかる浴室乾燥機を浴室に設置した状態の斜視図である。
【図４】本発明の一実施形態にかかる浴室乾燥機の制御部のブロック図である。
【図５】本発明の一実施形態にかかる浴室乾燥機が備える脱衣所用の操作器の正面図である。
【図６】本発明の一実施形態にかかる浴室乾燥機が備える浴室用の操作器の正面図である。
【図７】本発明の一実施形態にかかる浴室乾燥機とともに用いられる、浴室内の空気を外部に排出するための、排気ダクトとベントキャップを備えた排気経路の構成を示す図である。
【発明を実施するための形態】
【００２４】
以下、本発明の実施形態を示して、その特徴とするところをさらに詳しく説明する。
【００２５】
［実施形態］
この実施形態にかかる浴室暖房乾燥機は、図１〜３に示すように、ユニットバスなどの浴室２に設置されるミスト機能付浴室暖房乾燥機（以下、単に「浴室暖房乾燥機Ａ」という）として構成されている。
【００２６】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴、を実行する機能を備えている。
【００２７】
また、この浴室暖房乾燥機Ａを浴室２に設置するにあたっては、例えば、図３に示すように、浴槽７の上方の、浴室２の天井８に設置される。
【００２８】
浴室暖房乾燥機Ａの本体である機器本体（浴室暖房乾燥機本体）９は天井裏に配置されている。具体的には、例えば、吊り金具１０により天井スラブなどに吊り支持し、機器本体（浴室暖房乾燥機本体）９の下面を浴室２の天井８の開口部１１に臨ませている。また、天井８の下面には開口部１１を覆うグリル板１２（図１）が配置されており、グリル板１２が機器本体９の下面側に取り付けられている。
【００２９】
また、図１および図２に示すように、機器本体（浴室暖房乾燥機本体）９内には、熱交換器（温風用熱交換器）（加熱部）１３および送風機１４（１４ａ，１４ｂ）が内装されている。
この温風用熱交換器１３は、内部に温水を通すことで外部を流れる空気、つまり浴室２内に送り込まれる空気と温水とを熱交換して、空気を加熱するように構成されている。この温風用熱交換器１３は機器本体９に配管した暖房用温水管路１５の途中に配置されており、暖房用温水管路１５には給湯暖房機などの熱源機１６（図３）から温水が供給されるように構成されている。
【００３０】
また、図１および図２に示すように、暖房用温水管路１５には温風用熱交換器１３への温水の供給を開閉する熱動弁（暖房用開閉弁）１７が設けられており、暖房用温水管路１５にはこの管路を流れる温水の温度を検出する暖房温水サーミスタ（往き温水温度検出部）ＴＨ２が配設されている。
【００３１】
なお、熱源機１６で加熱された温水は、往き配管５１を経由して浴室暖房乾燥機Ａに備える往き配管接続部５２（図１）から浴室暖房乾燥機Ａに送り込まれ、浴室暖房乾燥機Ａに備える温風用熱交換器１３で放熱した後、浴室暖房乾燥機Ａが備える戻り配管接続部６２（図１）から戻り配管６１を経由して熱源機１６へ戻るように、往き配管５１と、戻り配管６１とが配設されている。
【００３２】
図１に示すように、この実施形態にかかる浴室暖房乾燥機Ａにおいて、送風機１４は、浴室内空気を循環させる浴循環ファン１４ａと、浴室内空気を外部へ排出する換気ファン１４ｂとを備えた構成とされている。また、屋外への排気口の手前には、逆流を防止するための逆風止め５０を備えている。
【００３３】
さらに、機器本体（浴室暖房乾燥機本体）９の下面側には循環ファン１４ａで送風される空気を浴室２内に吹き出す吹き出し口３が設けられている。この吹き出し口３には可動ルーバー１８をが動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００３４】
また、浴室暖房乾燥機Ａは、ミスト浴の機能を具備するためにミスト発生部１９が組み込まれている。ミスト発生部１９のミストノズル４は、グリル板１２の一部に配置されており、ミスト用給水管路２０がミストノズル４に連通している。
【００３５】
図２に示すように、ミストノズル４として、０．５リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水のミストが噴霧される。すなわち、２つのミストノズル４（４ａ，４ｂ）から温水のミストを噴霧すると、強のミスト量でミストが噴霧され、２つのミストノズル４ａ，４ｂの一方からから温水のミストを噴霧すると、弱のミスト量で噴霧されるように構成されている。
【００３６】
また、この実施形態の浴室暖房乾燥機Ａにおいては、ミスト発生部１９が機器本体（浴室暖房乾燥機）９の上に搭載されている。
【００３７】
ミスト用給水管路２０には、水道水、いわゆる上水が供給されるように構成されており、入口側から順にストレーナ２２、給水電磁弁（給水開閉弁）２３が設けられている。上記暖房用温水管路１５には温風用熱交換器１３と並列になるようにミスト加熱用管路２４が設けられており、このミスト加熱用管路２４にはミスト加熱用管路２４を流れる温水の流れを制御する比例弁２５が設けられている。
【００３８】
また、ミスト加熱用管路２４とミスト用給水管路２０との間には液―液熱交換器で構成されるミスト用熱交換器２６が配設されており、ミスト加熱用管路２４を流れる温水により、ミスト用給水管路２０を流れるミスト用の水が加熱されるように構成されている。ミスト用給水管路２０におけるミスト用熱交換器２６とミスト開閉弁２１ａ，２１ｂとの間には、ミスト用給水管路２０を流れる温水の温度を検出するミスト温度サーミスタＴＨ１が配設されている。
【００３９】
また、浴室暖房乾燥機Ａは、図３に示すように、浴室２外の脱衣所に設けた操作器５や浴室２内に設けた操作器３０にてリモコン操作されるように構成されている。
【００４０】
図５に示すように、脱衣所用の操作器５には、タイマー表示部（時間表示部）３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９が設けられている。
【００４１】
また、図６に示すように、浴室用の操作器３０には、状態表示部４０、ミストサウナスイッチ１３４、ミストスイッチ１４１、温度設定スイッチ１４２、暖房スイッチ１３６、涼風スイッチ１３７、風向スイッチ１３３、ミスト入浴時間計測用のストップウォッチのスタート／ストップスイッチ１４３、リセットスイッチ１４５、停止スイッチ１３９が設けられている。
【００４２】
この実施形態にかかる浴室暖房乾燥機Ａにおいては、グリル板１２の吸い込み口１近傍に、吸気の湿度を検知する湿度検出手段２７（図１、図２）が配設されている。湿度検出手段２７としては、例えば、ＮＴＣサーミスタなどの感温素子で構成された湿度センサを用いることができる。
【００４３】
湿度検出手段(湿度センサ)２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００４４】
また、図４は、浴室暖房乾燥機Ａの制御部Ｂの一例を示す図である。制御部Ｂには、メモリ２８、演算回路２９などが内蔵され、上記操作器５や操作器３０をリモコン操作することで制御部Ｂにて、以下に説明するような制御が行われるように構成されている。
【００４５】
次に、この実施形態にかかる浴室暖房乾燥機Ａの乾燥運転について説明する。
なお、ここでは、自動乾燥運転時における、残り運転時間表示機能を備えた浴室暖房乾燥機Ａの乾燥運転について図７を参照しつつ説明する。
【００４６】
乾燥運転（自動乾燥運転）を開始するにあたっては、脱衣所用の操作器５の乾燥スイッチ６（図５）を押し操作する。この操作によって、乾燥［エコ］ランプ３５が点灯し、乾燥運転が開始する。
【００４７】
この実施形態にかかる浴室暖房乾燥機Ａでは、乾燥運転（自動乾燥運転）を行う際に、まず、浴室温度サーミスタＴＨ３で浴室２内の温度が検出され、浴室２の温度が所定温度（この実施形態では、例えば３５℃）以上の場合、吸い込み口１から浴室２内の空気を吸い込んで一部の空気を排気ダクト４７（図７）から屋外に排気するとともに残りの空気を吹き出し口３から浴室２内に吹き出す涼風運転を所定時間実行するように構成されている。
【００４８】
以下、具体的に説明する。
（１）脱衣所用の操作器５の乾燥スイッチ６がオンになると、循環ファン１４ａが作動して、機器本体内に取り込まれた浴室内の空気が加熱部（温風用熱交換器）１３により加熱されることなく浴室２に戻される運転である涼風運転が実行され、浴室２内の温度が浴室温度サーミスタＴＨ３により検出される。
【００４９】
（２）そして、浴室２内の温度が所定温度、例えば３５℃以上である場合、まず、例えば１０分間（本発明における第１の所定時間）、涼風運転が行われる。
【００５０】
（３）次いで、例えば５分間（本発明における第２の所定時間）、加熱乾燥運転が行われる。
【００５１】
（４）その後、さらに、例えば５分間（本発明における第３の所定時間）、涼風運転が行われる。
【００５２】
上述の１０分間（第１の所定時間）の涼風運転が行われることにより、排気ダクト４７が低温である場合にも、排気ダクト４７が浴室２内の温度の空気によって加熱され、排気ダクト４７の温度が上昇する。
【００５３】
よって、その後に、５分間（第２の所定時間）の加熱乾燥運転が行われても、排気ダクト４７で結露が発生しにくく、また、この５分間（第２の所定時間）の加熱乾燥運転が行われることで、排気ダクト４７の温度がさらに上昇する。
【００５４】
その後、５分間（第３の所定時間）の涼風運転が行われることで、排気ダクト４７の温度は、ほぼ浴室２内の温度まで上昇し、さらに排気ダクト４７で結露が発生しにくい状態となる。
【００５５】
なお、上述の第１の所定時間、第２の所定時間、第３の所定時間、および、後述する所定時間Ｔ１の具体的な値は、例示した値に限定されるものではなく、種々の値（時間）に変更することが可能である。
【００５６】
このように、換気ファン１４ｂと循環ファン１４ａを作動させ、機器本体９内の空気を温風用熱交換器１３により加熱して浴室２に温風を送風する加熱乾燥運転の前に、機器本体９内の空気を温風用熱交換器１３により加熱しない涼風運転が実行されることで、浴室２内の温度が例えば３５℃以上の場合であっても、浴室２内の空気が冷やされ、浴室２内の空気の絶対湿度が低下する。特にミストサウナの運転後にあっては、涼風運転により温度が下がり絶対湿度が低下する。そして、この状態から換気と温風の送風を行う加熱乾燥運転が実行されるため、浴室２からの排気が排気ダクト４７（図７）で冷やされても、排気ダクト４７で結露が生じにくくなり、結露水がベントキャップ４８（図７）から廊下などに滴下するという弊害を抑制、防止することができる。
【００５７】
（５）その後、以下に説明するように、換気ファン１４ｂを作動させるとともに、循環ファン１４ａを作動させ、循環ファン１４ａによって機器本体内に取り込まれた空気を温風用熱交換器（加熱部）１３により加熱する加熱乾燥運転が所定時間Ｔ１（例えば２５分間）に亘って実行される。
【００５８】
上述の所定時間Ｔ１（例えば２５分間）の加熱乾燥運転を行う場合、換気ファン１４ｂおよび循環ファン１４ａを作動させ、循環ファン１４ａによって機器本体９内に取り込まれた空気を温風用熱交換器（加熱部）１３により加熱する。
【００５９】
（６）そして、加熱乾燥運転が連続して所定時間Ｔ１（例えば２５分間）継続して実施された後（例えば、加熱乾燥運転の途中で涼風運転を行った場合にあっては、当該涼風運転の後に行った加熱乾燥運転が連続した状態で所定時間Ｔ１（例えば２５分間）継続して行われた後、換気ファン１４ｂを停止し、湿度検出用循環加熱運転を実行する。
【００６０】
この湿度検出用循環加熱運転は、換気ファン１４ｂを停止するとともに、循環ファン１４ａの作動および温風用熱交換器（加熱部）１３による加熱を継続することにより行われる。
【００６１】
なお、加熱乾燥運転の途中で涼風運転を行ったときにも、当該涼風運転の後に行った加熱乾燥運転が連続した状態で所定時間Ｔ１（例えば２５分間）行われることで、浴室２内の温度が適度に上昇し、後述する湿度検出手段２７によって検出される湿度の上昇速度Ｒが適正化される（すなわち、加熱乾燥運転の残時間を求めるためのデータとなる湿度の上昇速度Ｒを精度よく求めることができる）。
【００６２】
これに対し、涼風運転の後に行った加熱乾燥運転が所定時間Ｔ１（例えば２５分間）より短いと、浴室２内の温度が低い場合が生じる。そして、浴室２内の温度が低いことに起因して、絶対湿度が低く検出され、湿度の上昇速度Ｒが低いと検出されてしまうことになり、後述する乾燥運転の残時間を精度よく求めることが困難になり、適正な残時間の表示を行うことができなくなるとともに、乾燥時間が不足して不十分な乾燥状態を招く。
【００６３】
（７）上述の湿度検出用循環加熱運転の実行中に、湿度検出手段２７によって検出された湿度の上昇速度Ｒが、所定速度（閾値Ｘ）以下であるかどうかが判定される。
【００６４】
（８）そして、湿度検出用循環加熱運転の実行中に、湿度検出手段２７によって検出された湿度の上昇速度Ｒが上述の閾値Ｘ以下である場合、それまで表示されていなかった、タイマー表示部（時間表示部）３１への、乾燥運転の残時間（例えば３０分間）の表示を開始して、その後、時間の経過とともにタイマー表示部３１に表示した残時間のカウントダウンを行い、タイマー表示部３１に表示した残時間がゼロになるまで加熱乾燥運転を継続する。
【００６５】
以上の動作によって、湿度検出用循環加熱運転の実行中に湿度検出手段２７により検出された湿度の上昇速度に応じ、適切な残時間を設定することが可能になる。
【００６６】
また、上述のように構成することにより、浴室２の乾燥の進み具合に応じた乾燥運転の適切な残時間の表示を行い、その後、浴室の乾燥の進み具合に応じた適切な残時間に亘って乾燥運転を実行することが可能で、しかも、排気ダクトにおける結露を防止することが可能な浴室乾燥機を実現することができる。
【００６７】
なお、本実施形態の浴室暖房乾燥機Ａでは、加熱乾燥運転の実行前の浴室２内の温度が所定温度（例えば３５℃）以上であるときには、加熱乾燥運転の前に涼風運転を実行するように構成されるが、加熱乾燥運転の実行前の浴室内の温度が所定温度（例えば３５℃）未満のときには、涼風運転を実行せずに、加熱乾燥運転を開始し、加熱乾燥運転を連続して所定時間以上継続させた後、湿度検出用循環加熱運転が実行されるように構成されている。
【００６８】
このように構成することによって、不必要な涼風運転を実行することなく、直ちに加熱乾燥運転を実行して、浴室の乾燥に要する全体としての乾燥時間を短縮することができる。
【００６９】
また、この実施形態では、湿度検出用循環加熱運転の実行中、すなわち、換気ファン１４ｂの停止中における、所定期間の開始時の湿度検出手段による検出湿度と、所定期間の終了時の湿度検出手段による検出湿度との差から、湿度の上昇速度を求めるようにしているので、容易に湿度の上昇速度を測定することが可能であり、この湿度の上昇速度に応じて、適切な時間に亘って乾燥運転を行うことにより、無駄なく適切な乾燥運転を実行することができる。
【００７０】
本発明は、上記実施形態に限定されるものではなく、発明の範囲内において種々の応用、変形を加えることが可能である。
【符号の説明】
【００７１】
１        吸い込み口
２        浴室
３        吹き出し口
５        操作器
９        機器本体（浴室暖房乾燥機本体）
１２      グリル板
１３      熱交換器（温風用熱交換器）（加熱部）
１４      送風機
１４ａ    循環ファン
１４ｂ    換気ファン
１６      熱源機
２７      湿度検出手段（湿度センサ）
２９      演算回路
３１      タイマー表示部（時間表示部）
４７      排気ダクト
４８      ベントキャップ
５１      往き配管
５２      往き配管接続部
６１      戻り配管
６２      戻り配管接続部
Ａ        浴室暖房乾燥機
Ｂ        制御部
ＴＨ１    ミスト温度サーミスタ
ＴＨ２    往き温水温度検出部（暖房温水サーミスタ）
ＴＨ３    浴室温度サーミスタ
【図１】
2018112333.tif 000003
【図２】
2018112333.tif 000004
【図３】
2018112333.tif 000005
【図４】
2018112333.tif 000006
【図５】
2018112333.tif 000007
【図６】
2018112333.tif 000008
【図７】
2018112333.tif 000009